Podtech/llm-jp-corpus-v4-ja_patent huggingface dataset:
(57)【要約】      （修正有）【課題】発光ダイオードが各種の波長の光線を放射することにより、人体の健康を向上する。【解決手段】椅子の内部の適当な箇所では回路基板が設けてあり、前記回路基板の予定箇所では人体へ特定な周波数の光線を放射する発光素子が少なくとも一つ設けてあり、前記回路基板はスイッチと電源とに電気的に接続し、前記発光素子は、例えば青色や赤色や白色や赤外線や紫外線などの波長が異なる各種の光線を放射し、且つ前記発光素子は、無機発光ダイオードでもいいし、有機発光ダイオードでもいいことを特徴とする発光機能付き椅子。【選択図】図１
0003116521.tif 000002
【実用新案登録請求の範囲】
【請求項１】
椅子の内部の適当な箇所では回路基板が設けてあり、前記回路基板の予定箇所では人体へ特定な周波数の光線を放射する発光素子が少なくとも一つ設けてあり、前記図路基板はスイッチと電源とに電気的に接続することを特徴とする、発光機能付き椅子。
【請求項２】
前記発光素子は、例えば青色や赤色や白色や赤外線や紫外線などの波長が異なる各種の光線を放射することを特徴とする、請求項1に記載の発光機能付き椅子。
【請求項３】
前記発光素子は、無機発光ダイオードでもいいし、有機発光ダイオードでもいいことを特徴とする、請求項1に記載の発光機能付き椅子。
【考案の詳細な説明】
【技術分野】
【０００１】
本考案は、発光機能付き椅子に係り、特に、発光ダイオードを椅子の内部に設置し、発光ダイオードが各種の波長の光線を放射することにより、人体の健康を向上できる発光機能付き椅子に関するものである。
【背景技術】
【０００２】
一般の椅子に長時間に座ると、人体の血液循環が悪くなり、手足が痺れ易くになり.酷い場合には手足が痛くなることもあった。特に、サラリーマン及び体不自由の方は、長時間に椅子に座ることが回避できないので、血液循環が悪くなることがよくあり、だから、ある業者は赤外線を放射する機能を持つ椅子を開発することにより、ユーザの血液循環を改善する。
【考案の開示】
【考案が解決しようとする課題】
【０００３】
しかしながら、従来の赤外線を放射する機能を持つ椅子に使用された発光源は赤外線電灯であり、赤外線電灯は、椅子への取付けは不便であり、且つ損壊になり易いので、頻繁に更新することが必要であった。
【課題を解決するための手段】
【０００４】
上記欠点を解決するためになされた本願の考案は、椅子の内部の適当な箇所では回路基板が設けてあり、前記回路基板の予定箇所では人体へ特定な周波数の光線を放射する発光素子が少なくとも一つ設けてあり、前記回路基板はスイッチと電源とに電気的に接続することを特徴とする発光機能付き椅子であることを要旨としている。
【０００５】
本願の考案では、前記発光素子は、例えば青色や赤色や白色や赤外線や紫外線などの波長が異なる各種の光線を放射することを特徴とする請求項1に記載の発光機能付き椅子であることを要旨としている。
【０００６】
本願の考案では、前記発光素子は、無機発光ダイオードでもいいし、有機発光ダイオードでもいいことを特徴とする請求項1に記載の発光機能付き椅子であることを要旨としている。
【考案の効果】
【０００７】
本考案に係る発光機能付き椅子によれば、発光ダイオードを椅子の内部に設置し、発光ダイオードが各種の波長の光線を放射することにより、人体の健康を向上できる。
【考案を実施するための最良の形態】
【０００８】
以下、添付図面を参照して本考案の好適な実施の形態を詳細に説明する。
【０００９】
まず、図1と図2を参照する。本考案に係る発光機能付き椅子は、椅子10の内部の適当な箇所では回路基板11が設けてあり、図3に示すのは前記回路基板11の回路図であり、前記回路基板11の予定箇所では人体へ特定な周波数の光線を放射する発光素子12が少なくとも一つ設けてあり、前記回路基板11はスイッチ13と電源14とに電気的に接続し、前記発光素子12は、例えば青色や赤色や白色や赤外線や紫外線などの波長が異なる各種の光線を放射し、その設置する位置は人体のツボに合われ、また、前記、発光素子12は、無機発光ダイオードでもいいし、有機発光ダイオードでもよく、前記電源は、電池でもいいし、圧電材料でもいい。
【００１０】
また、図1と図2を参照する。本考案に係る発光機能付き椅子10の使用方法は、まず、スイッチ13をオンにし、電源14を回路基板11と電気的に接続して、発光ダイオード12を発光させ、発光ダイオード12は、例えば青色や赤色や白色や赤外線や紫外線などの波長が異なる各種の光線を放射し、なお、赤色の光線は、交感神経系統を刺激し、使用者を興奮や緊張にすることができ、また、青色の光線は、補助交感神経系統を刺激し、使用者をリラックスさせることができ、また、波長が450ｎｍの青色の光線は関節炎などを治療でき、赤色の光線は、偏頭痛を治療でき、筋肉の耐力を向上し、また、白色の光線は欝病を治療でき、紫外線が消臭効果を有し、815ｎｍの赤外線は傷口を治る効果を有し、赤光は光動力治療法に応用されてレーザを取り替えて腫瘤を治療することができ、発光ダイオードは各種の波長の光線を放射することができ、発光ダイオードが人体のツボに対応するので、人体の健康を向上することができ、且つ発光ダイオードは体積が小さくて省電力で堅実であるので、本考案に係る発光機能付き椅子10は、耐用性が向上し、故障率が低減になる。
【図面の簡単な説明】
【００１１】
【図１】本考案の外観図である。
【図２】本考案に係る発光素子を椅子内に取付けた状態を示す断面図である。
【図３】本考案に係る回路基板の回路図である。
【符号の説明】
【００１２】
10  椅子      11  回路基板
12  発光素子  13  スイッチ
14  電源
【図１】
0003116521.tif 000003
【図２】
0003116521.tif 000004
【図３】
0003116521.tif 000005
(57)【要約】【課題】  簡易構造で量産化され易く、ユーモアを伴って多数の人の履物や衣服類などを個別化して整理できる挟み具を提供すること。【解決手段】  正面視縦長矩形状の基体１と、基体１の表面に同幅でその頂部を基体１の頂部に一体とし、下端に湾曲部２を成形し、その下端を基体１の下端より上方に位置取りさせて当接重畳した挟み体３とから成り、基体１の表面と平行に挟み体３の下端より上方に挟み空間４を形成する。  このほか、各種のキャラクターグッズを添着して個別化を際立たせる。【選択図】  図１
0003116096.tif 000002
【実用新案登録請求の範囲】
【請求項１】
正面視縦長矩形状の基体と、該基体の表面に同幅でその頂部を基体の頂部に一体とし、下端に前記表面に向けて湾曲した湾曲部を成形し、その下端を該基体の下端より上方に位置取りさせて当接重畳した挟み体とから成り、基体の表面と平行に挟み体の下端より上方に挟み空間が形成されることを特徴とする挟み具。
【請求項２】
請求項１記載の挟み具と、該挟み具に添着される各種キャラクターグッズとから成る挟み具。
【考案の詳細な説明】
【技術分野】
【０００１】
本考案は、靴や草履などの履物や衣服類の整理保管、個別化に使用される挟み具に関する。
【背景技術】
【０００２】
他人の靴との間違いが起こらないように、靴１足毎に揃えて整理でき、また、整理札も掛けられる技術が特開平１０−２８６１６３号公報（特許文献１）に提案されている。
また、靴べら付履物整理具が特開平１０−４３０３４号公報（特許文献２）に提案されている。
特許文献１に開示された技術は、靴１足毎に差し入れられる構造が複雑で目的の割にコストを要する。特許文献２で提案された技術は、へら本体に対して靴の開口壁を掴むスリットがへら本体の平面に対して直交する方向に開口され、その開口に弾性作用を持たせたものであるから、スリットを形成する突出体はへら本体に対してねじり状に突出され、成形に手間取る。さらに、へら本体の形状を動植物などの各種形態に設定して他人の靴との差別化をするという提案は量産化には適さない。
【特許文献１】特開平１０−２８６１６３号公報
【特許文献２】特開平１０−４３０３４号公報
【考案の開示】
【考案が解決しようとする課題】
【０００３】
本考案は、簡易構造で量産化され易く、さらに、ユーモアを伴って多数の人の履物や衣服類などを個別化して整理できる挟み具の提供をその目的とする。
【課題を解決するための手段】
【０００４】
本考案の請求項１に記載の挟み具は、正面視縦長矩形状の基体と、該基体の表面に、同幅でその頂部を基体の頂部に一体とし、下端に前記表面に向けて湾曲した湾曲部を成形し、その下端を該基体の下端より上方に位置取りさせて当接重畳した挟み体とから成り、基体の表面と平行に挟み体の下端より上方に挟み空間が形成される。
請求項２に記載の挟み具は請求項１記載の挟み具において、各種キャラクターグッズを添着して成る。
【考案の効果】
【０００５】
本考案の挟み具は簡易構造の量産向きに提供され、多数の人の履物や衣服類などの個別化には名札や番号札に代えてキャラクターグッズでユーモアを演出できる効果がある。個人的な使用においては、平面的なキャラクターグッズを収納できる挟み空間を有する簡易構造であるため、コンパクトに携帯されて個別化できる効果がある。
【考案を実施するための最良の形態】
【０００６】
本考案の挟み具の基体と挟み体との重畳に関しては、両者を頂部で接着により接合するものから、頂部で折り返しするものまで選択され、接着接合のものでも折り返すものでも基体と挟み体は幅、長さ共に同一寸法で量産化の好適化が図られ、両者の下端隅部の形状は同一のものから異形のものなどで提供される。
基体と挟み体とは合成樹脂素材に着色若しくは模様を配したものや、基体の裏面及び挟み体の表面に各種の織物を貼着したものなどでも提供される。
キャラクターグッズは平面的なものから立体的なものまで提供され、平面的なものでは挟み空間に挟み込まれたり、面状ファスナーで接合されるなどであり、立体的なものでは手及び／又は足などで挟み付けるなどで提供される。
【実施例】
【０００７】
本考案を実施例により説明すると、図１に示したものは、正面視縦長矩形状の合成樹脂製で裏面から側部にかけて所要の織物被覆材（図外）の貼着された基体１の表面側に、同幅でその頂部から折曲（一体に接合してもよい）されて下端に該表面側に向けて湾曲した湾曲部２を成形し、その下端を基体１の下端より上方へ位置取りさせて当接させた合成樹脂製で表面から側部にかけて前記と同様の織物被覆材（図外）が貼着された挟み体３を重畳し、基体１の表面と平行に挟み体３の下端より上方に挟み空間４を形成した挟み具ａを基体考案とし、挟み具ａにキャラクターグッズとしてのだっこちゃん５を両手両足で挟み付けたものが挟み具ｂである。
したがって、挟み具ａとして使用するときは、挟み体３の表面と基体１の裏面（図外）に仮想線で示すように形成された凹部６に名札や番号札（図外）が貼着されて個別化が図られる。
名札や番号札に代えて挟み具ａにだっこちゃん５を添着し、脱いだ履物や衣服類の個別化に使用するのが挟み具ｂである。
このものは１足の靴７に使用する場合は、図２に示すように隣接する両側部８を挟み空間４に挟んで整理され、だっこちゃん５の腹まき９の色や絵柄等で個別化が図られる。
図３に示したものは脱いだコート１０の襟１１に挟み具ｂを挟み付けたもので、だっこちゃん５を介して個別化が図られ、ユーモアの演出を伴って履物や衣服類の整理が図られる。
本実施例で示した挟み具ａへのキャラクターグッズの添着は、立体的なだっこちゃん５の両手両足での挟み付けによるものであるが、このものに限定するものではなく、平面的に造形された各種キャラクターグッズを挟み空間４の挟部に挟み込んだり、挟み体３の表面に面状ファスナー（図外）を介して接合するなどでも提供される。
【０００８】
このように本考案の挟み具ａ、ｂは、基体１及び挟み体３が合成樹脂製であるため、両者間に形成される挟み空間４は弾性変形してその下方の湾曲部２の下端が開閉されるので、所定の弾発反力で基体１の表面とそれに平行な挟み体３の湾曲部２の下端間で靴７の両側部８やコート１０などの襟１１を挟持できるものであり、物品としての携帯も嵩張らない。
なお、挟み体３はその頂部から湾曲部２に向けて凹状に成形されるから、頂部を下にすれば挟み体３の表面は足の踵に馴染み靴べらとして使用できる。
【産業上の利用可能性】
【０００９】
本考案の挟み具は、個人的な使用のほか宴会場などのサービス業界で人の集まる場所での履物や衣服などの個別化に使用される。
【図面の簡単な説明】
【００１０】
【図１】本考案の挟み具ａ及びｂの斜視図。
【図２】本考案の挟み具ｂを１足の靴７に挟み付けた状態を示す説明図。
【図３】同上挟み具ｂをコート１０に挟み付けた状態を示す説明図。
【符号の説明】
【００１１】
１：基体
２：湾曲部
３：挟み体
４：挟み空間
５：だっこちゃん
６：凹部
７：靴
８：側部
９：腹まき
１０：コート
１１：襟
ａ乃至ｂ：挟み具
【図１】
0003116096.tif 000003
【図２】
0003116096.tif 000004
【図３】
0003116096.tif 000005
(57)【要約】      （修正有）【課題】アクセサリーとしてのピアスは各種デザインを施した多様なバリエーションがあり、これらを不使用時にあっても、装飾品として効果的に配することにより装飾品として活用することができる従来にない美的外観に富む携帯用ピアス保持具を提供する。【解決手段】携帯用ピアス保持具において、紐状部と該紐状部に取り付けられる装飾体からなり、該装飾体にピアスを挿通するための円孔が複数穿設されることを特徴とする。【選択図】図１
0003116055.tif 000002
【実用新案登録請求の範囲】
【請求項１】
紐状部と該紐状部に取り付けられる装飾体からなり、該装飾体にピアスを挿通するための円孔が複数穿設されることを特徴とする携帯用ピアス保持具。
【考案の詳細な説明】
【技術分野】
【０００１】
本考案は、ピアスを保持可能な携帯用ピアス保持具に関するものであり、殊に、装飾体にピアスを視覚上効果的に配し美的外観に富む携帯用ピアス保持具に関するものである。
【背景技術】
【０００２】
不使用のピアスを保管する場合、箱状ケースなどに収納するなどしていたが、携帯性に優れるものではなかった。
【０００３】
また、従来より、ピアスなどのアクセサリーを収納する収納具が提供されている。（例えば、特許文献１。）
【特許文献１】特許第２８８４２２７号公報
【考案の開示】
【考案が解決しようとする課題】
【０００４】
上記した従来提供されている収納具は、ピアスを利用して、収納具自体を美的外観に富む身飾品として機能させるものではない。
【０００５】
アクセサリーとしてのピアスは各種デザインを施した多様なバリエーションがあり、これらを不使用時にあっても、装飾品として活用することができる保持具が存することが望まれていた。
【課題を解決するための手段】
【０００６】
本考案は上記の課題に鑑みなされたものであり、携帯用ピアス保持具において、紐状部と該紐状部に取り付けられる装飾体からなり、該装飾体にピアスを挿通するための円孔が複数穿設されることを特徴とするものである。
【考案の効果】
【０００７】
本考案は、不使用時のピアスを装飾品として効果的に配することができる携帯用ピアス保持具を提供することにより、従来にない美的外観に富む商品価値を創造することが可能となる。
【考案を実施するための最良の形態】
【０００８】
本考案の実施の形態を図面に基づき説明する。
【０００９】
図１〜図３は、本考案の実施例を示す平面図である。
【００１０】
１は装飾体であり、２は円孔であり、３は紐状部であり、４はピアスを示すものである。
【００１１】
なお、本考案における「ピアス」とは、耳たぶに装着するアクセサリーを総称する概念であり、イヤリングと称されるものなどを含むものであり、かつその形態も環状、棒状などに限定されるものでない。
【００１２】
図示した実施例における携帯用ピアス保持具においては、その装飾体がハート型や蝶をモチーフとした形状に成形されているが、本考案に係る携帯用ピアス保持具は、これに限定されず、星やフルーツ、動物などのキャラクターなど各種形状を模して成形されるものである。
【００１３】
装飾体１は、例えばポリ塩化ビニルを成形してなるものであるが、他にＡＢＳ樹脂、ＰＰ樹脂なども想定され、材質は特に限定されるものではない。
【００１４】
装飾体１には、ピアス挿通用の円孔２が穿設される。
【００１５】
使用者は、かかる円孔２に対し、耳たぶに装着するような要領でピアスを保持させることが可能となる。
【００１６】
円孔２は、数や穿設箇所は限定されないが、環状ピアスにあっては、垂れ下がる状態を確保するために、図示したように、装飾体の下端部付近や円孔の下方部に環状ピアスの直径が通る程度の切欠部を設けるなどすることが好ましい。これにより、環状ピアスが耳たぶに装着されているように垂れ下がり、当該ピアスの本来有する装飾的効果を発揮することが可能となる。
【００１７】
なお、円孔２の径は、装飾体の厚み約４ｍｍにおける実施例においては、１ｍｍ以下とすることにより、各ピアスに概ね対応することが可能となった。
【００１８】
装飾体１には、紐状部３が設けられ、紐状部３には、かばんやポーチなどに対し係脱可能な留め具が備えられていることが好ましい。
【００１９】
なお、紐状部３は、チェーンや極細紐など態様は限定されることはなく、かばん用、携帯電話用などにあわせて適宜選択させるものである。例えば、図１〜２に示された実施例における紐状部３は携帯電話のストラップなどに用いられる極細紐であり、図３に示された実施例における紐状部３は先端に留め具を備えたチェーンであり、かばんやポーチなどに取り付けることが可能となる。
【図面の簡単な説明】
【００２０】
【図１】本考案の実施例を示す図。
【図２】本考案の実施例を示す図。
【図３】本考案の実施例を示す図。
【符号の説明】
【００２１】
１  装飾体
２  円孔
３  紐状部
４  ピアス
【図１】
0003116055.tif 000003
【図２】
0003116055.tif 000004
【図３】
0003116055.tif 000005
(57)【要約】      （修正有）【課題】スーパー、コンビニなどでもらうビニール袋では、お弁当、刺身、お惣菜などが入っているパック容器を、ビニール袋の底に地面と平行においても、搬送中に横になってしまう問題点があり、パック容器を搬送中に横にならないようにする。【解決手段】パックたおれん袋（パック容器専用袋）は、ビニール袋の中にあるパック容器をしばるひも（横幅２５cmのビニール袋の場合、同じ材質で、太さ６ｃｍ、長さ２５ｃｍ、ビニール袋の中心から左右４ｃｍのところで接着）で、パック容器をしばる。こうすると、搬送中に振り回してもパック容器が横倒しにならない。【選択図】図１
0003116077.tif 000002
【実用新案登録請求の範囲】
【請求項１】
買い物用ビニール袋の中にパック容器をしばるビニールひもを取り付けパック容器が横に倒れないようしたビニール袋。
【考案の詳細な説明】
【技術分野】
【０００１】
本考案は、ビニール袋に入れた、お弁当などのパック容器を搬送中に横倒しにならないようにした専用ビニール袋である。
【背景技術】
【０００２】
スーパー、コンビニなどで買い物をすると、買った商品をビニール袋に入れて持ち帰る。
【０００３】
スーパー、コンビニなどでもらうビニール袋では、お弁当、刺身、お惣菜などが入っているパック容器を、ビニール袋の底に地面と平行においても、搬送中に横になってしまう問題点がある。
【考案の開示】
【考案が解決しようとする課題】
【０００４】
解決しようとする問題点は、パック容器を搬送中に横にならないようにする点である。
【課題を解決するための手段】
【０００５】
本考案は、ビニール袋の中にパック容器をしばるビニールひもを取り付け、このひもをつかってバック容器をしばれるようにしたことを特徴とする。
【考案の効果】
【０００６】
本考案のパックたおれん袋は、ビニール袋の中にあるパック容器をしばるひもで、パック容器をしばると搬送中に振り回してもパック容器が横倒しにならないという利点がある。
【考案を実施するための最良の形態】
【０００７】
横幅２５ｃｍのビニール袋の場合、つけるひもは、同じ材質で、太さ６ｃｍ、ビニール袋の中心から左右４ｃｍのところで接着する。接着した所から２５ｃｍの長さがよい。
【０００８】
大きなビニール袋では、２５cmのビニール袋の取り付けの割合で大きさに合わせてひもを取り付ける。
【実施例１】
【０００９】
図１は、ビニール袋の内側の一方の図でひもの位置を示してある。図２は、袋の内側の図である。パック容器は図３のように、ひもでしばる。ビニール袋の外から見ると図４のようになる。こうすると持ち歩いてもパック容器は傾かず、水平を保ったままになる。
【図面の簡単な説明】
【００１０】
【図１】ビニール袋の内側の一方側を示した説明図である。（実施例１）
【図２】ビニール袋の内部を上からみた説明図である。（実施例１）
【図３】ビニール袋にパック容器を入れてしばった説明図である。（実施例１）
【図４】パック容器を入れて横から見た説明図である。（実施例１）
【図１】
0003116077.tif 000003
【図２】
0003116077.tif 000004
【図３】
0003116077.tif 000005
【図４】
0003116077.tif 000006
(57)【要約】      （修正有）【課題】頚椎の牽引を安価で簡単な道具で行うことが出来、また、牽引力の強弱の調整方法に大がかりな装置を必要とせず安価で寝ながら簡単に操作出来る道具を提供する。【解決手段】仰向けに寝ている人の頭部を輪っか状に縛った帯の中に入れ、その輪っか状に縛った帯の上端を垂直上方向よりも頭頂側にロープで引っ張ることにより振り子の運動する力の向心力と重力との合力を利用し、頚椎の牽引を可能にする。また、帯が頭部から外たり、横ずれを起こすのを防止するための平ベルトを備え付けることで長時間、安定した頚椎の牽引を可能にする。また、ロープに長さ調節手段を設けることで被牽引者は寝ながらにして牽引力の強弱調整を可能とする。【選択図】図１
0003116088.tif 000002
【実用新案登録請求の範囲】
【請求項１】
仰向けに寝ている人の頭部を輪っか状に縛った帯の中に入れ、その輪っか状に縛った帯の上端を垂直上方向よりも頭頂側にロープで引っ張ることにより振り子の運動する力の向心力と重力との合力を利用し、頚椎の牽引を可能にする振り子式の頚椎牽引道具。
【請求項２】
輪っか状に縛った帯に被牽引者の頬から顎を通り反対側の頬に平ベルトを連結させ、帯が頭部から外れたり、横ずれを起こすのを防止するための平ベルトを備え付けることで長時間、安定した頚椎の牽引を可能にすることを特徴とする請求項１記載の振り子式の頚椎牽引道具。
【請求項３】
ロープに長さ調節手段を設けることによって被牽引者の頭部の床からの高さと頚椎を牽引する力の強弱調整機能を有することを特徴とする請求項１記載の振り子式の頚椎牽引道具。
【考案の詳細な説明】
【技術分野】
【０００１】
本考案は、振り子の運動を頚椎の牽引に応用した頚椎牽引道具に関するものである。
【背景技術】
【０００２】
従来の頚椎を牽引する技術や方法では、高額で大きな機械や装置を必要としていたため、通院を余儀なくされた。
【考案の開示】
【考案が解決しようとする課題】
【０００３】
従来の頚椎を牽引する技術や方法では、被牽引者は寝ながらにして頚椎の牽引を安価で簡単な道具で出来なかった。また、長時間、安定した牽引力を安価で簡単な方法で行うことが出来なかった。また、牽引力の強弱の調整方法には大がかりな装置が必要で安価で寝ながら簡単に操作出来る物はなかった。これらの点をこの考案は解決しょうとするものである。
【課題を解決するための手段】
【０００４】
上記問題を解決するため、仰向けに寝ている人の頭部を輪っか状に縛った帯の中に入れ、その輪っか状に縛った帯の上端を垂直上方向よりも頭頂側にロープで引っ張ることにより振り子の運動する力の向心力と重力との合力を利用し、頚椎の牽引を可能にする。
また、輪っか状に縛った帯に被牽引者の頬から顎を通り反対側の頬に平ベルトを連結させ、帯が頭部から外れたり、横ずれを起こすのを防止するための平ベルトを備え付けることで長時間、安定した頚椎の牽引を可能にする。
また、ロープに長さ調節手段を設けることで被牽引者は寝ながらにして牽引力の強弱調整が可能となり、上記問題点を解決している。
【考案の効果】
【０００５】
本考案は、従来の頚椎牽引の方法とは異なり、振り子の運動する力を応用し被頚椎牽引者自身の頭部にかかる重力と向心力の合力を利用することで、安価で簡単な道具を使用するだけで頚椎の牽引を可能にした。
本考案により、費用や使い安さの面から一般家庭内への普及が容易となり、治療のために通院を余儀なくされていた人達が自宅でいつでも手軽に頚椎の牽引が可能となる。
また、本考案により、従来の頚椎牽引装置や道具よりも装具の装脱着が簡単で、束縛感も少なく外れ、ずれの防止を可能にした。
本考案により、被牽引者はこの道具を枕代わりのようにして横になり、リラックスした状態で牽引力の強弱の調整を安易に寝ながら操作することを可能にした。
【考案を実施するための最良の形態】
【０００６】
上記目的を達成するための最良の形態は、まず、家の中にある柱等に床から被牽引者の目の高さ付近に被牽引者の頭部を引き上げ、振り子運動を起こすための支点となる金属性のフックを設置する。そのフックの素材は金属性で幅は５ｍｍの物を使用する。
被牽引者の頭部を包み入れる輪っか状に縛った帯の上端にロープの端を連結させ、そのロープのもう一端を前記金属製のフックに連結させる。
その輪っか状に縛った帯の幅は１０ｃｍ、長さ８０ｃｍ、素材は木綿の帯を使用する。
また、ロープは太さ５ｍｍ、長さは１７０ｃｍの物を使用。
支点の金属製フックから輪っか状に縛った帯の上端までのロープの長さは輪っか状に縛った帯の下が床より少しだけ浮いている状態の長さに設定する。
そのロープの長さを調節するために、内径５ｍｍの穴を２カ所持つ、横１５ｍｍ、縦３０ｍｍ、厚さ３ｍｍのロープをスライドさせる金具を使用。
スライドさせる金具の一つの穴にロープを通して輪っか状の帯と連結、折り返してもう一つの穴に固定させ、金具をスライドさせることで長さ調節を行う。
被牽引者は自身の頭部を輪っか状態に縛った帯の中に入れ、フックの下に被牽引者の頭頂部が来るように仰向けで寝る。
次に、被牽引者は寝ながら自身の頭頂部を支点フックの真下地点より少しずつ離していきながら、適度の頚椎牽引力を得る。
また、輪っか状に縛った帯の内側には被牽引者の頭部と耳が痛くならないように、厚さ２ｃｍのゴム製のスポンジを被牽引者の耳に当たる部分は除いて接着剤で固定しておく。
また、輪っか状に縛った帯に被牽引者の頬から顎を通り反対側の頬に平ベルトを連結させ、帯が頭部から外れたり、横ずれを起こすのを防止するための平ベルトを装着する。
【図面の簡単な説明】
【０００７】
【図１】本考案の実施状態を示した全体図である。
【図２】支点部分のフックの断面図である。
【図３】ロープの長さを調節するスライド金具の実施状態を示した部分図である。
【図４】輪っか状に縛った帯部分の斜視図である。
【符号の説明】
【０００８】
１  支点のフック
２  ロープ
３  スライド金具
４  輪っか状に縛った帯
５  マジックテープ（登録商標）凹面
６  マジックテープ（登録商標）凸面  
７  ゴム製スポンジ
８  平ベルト
【図１】
0003116088.tif 000003
【図２】
0003116088.tif 000004
【図３】
0003116088.tif 000005
【図４】
0003116088.tif 000006
(57)【要約】      （修正有）【課題】飲料水などのペットボトルを利用したカメラスタンドにおいて、デジタルカメラやカメラ付き携帯電話をペットボトルの蓋を取らずに一体化し、カメラの自動シャッター機能を活かすことのできるカメラスタンド補助具を提供する。【解決手段】デジタルカメラには、カメラ専用のネジ穴が付いているが、そのネジ穴に三脚や今回発明のカメラスタンドの補助具を使ってカメラ本体を取り付ける事はできる、しかし、カメラ付き携帯電話には三脚に固定する専用のネジ穴は付いていない。そこで、縦方向、横方向にカメラ付き携帯電話を容易に取り付けられるホルダーの付いた、ペットボトル用のカメラスタンド補助具を提供する。【選択図】図１
0003116090.tif 000002
【実用新案登録請求の範囲】
【請求項１】
カメラ付き携帯電話やデジタルカメラ等で撮影するときに、手ぶれを防ぐ目的や自動シャッター機能を利用する目的で、ペットボトルのキャップに被せる筒状のゴム又はプラスチック等の合体補助具を造り、三脚の代わりにカメラとペットボトルを一体化して使用する事を特徴とする、カメラスタンド補助具。
【請求項２】
請求項１のカメラスタンド補助具はペットボトルの中身がこぼれ、携帯電話やカメラに支障が及ぶことを防ぐ目的から、蓋を取らずに蓋の上に筒状にして、はめ込む事を特徴とするカメラとペットボトルを合体する、カメラスタンド補助具。
【請求項３】
請求項１〜２のカメラスタンド補助具を携帯可能なケースに入れて、飲料水等の自動販売機にセットして販売することを特徴とする、カメラスタンド補助具。
【請求項４】
請求項１〜３のカメラスタンド補助具を収納するケースに、ペットボトルの蓋状の突起とその突起とは別の方向に磁石を取り付けて、乗用車などの金属に吸引させて固定できる事を特徴とする、カメラスタンド補助具ケース。
【考案の詳細な説明】
【技術分野】
【０００１】
本考案は、写真撮影用カメラやカメラ付き携帯電話、もしくはビデオ撮影用カメラを固定する、スタンド補助具に関するものである。
【背景技術】
【０００２】
デジタルカメラやカメラ付き携帯電話等で写真撮影を行うときに、手ぶれを防ぐにはカメラ本体を三脚などのスタンドに固定して撮影するか、あるいは自動シャッター機能を使って手ぶれを軽減する方法が採られている。
【考案の開示】
【考案が解決しようとする課題】
【０００３】
外出先でカメラ撮影しようとした場合に、最新のデジタルカメラやカメラ付き携帯電話は質量も軽くシャッターを押すときに手ぶれが発生しやすい。また、カメラ専用の三脚を持ち歩く場合は荷物になる。
更に、小型軽量化を図るカメラにはカメラスタンド用の専用ネジが付けられていない。
【課題を解決するための手段】
【０００４】
カメラ用の取り付けネジと飲料用ペットボトル等の蓋とを合体させる補助具を造り、三脚の代わりの簡易なカメラスタンドを構成し、外出先での容易な手ぶれの防止対策として自動シャッター撮影機能を利用出来るようにする。
【考案の効果】
【０００５】
外出先で簡単に調達できる飲料水用のペットボトル等を利用して、簡易なカメラ台を構成させ、デジタルカメラや携帯電話の台として利用すれば、外出先での撮影が、手ぶれの起き難い撮影や自動シャッターでの撮影ができる。また、撮影者本人が被写体として参加できる事にもなる。
【考案を実施するための最良の形態】
【０００６】
この考案によって手軽で身近なペットボトル等の販売品を利用することで、手ぶれの少ない撮影が可能となる。また、ペットボトルから飲料水が染み出してカメラに降りかからないように蓋が閉まった状態で使用する事が最良の形態である。
【実施例】
【０００７】
図１は本考案のカメラスタンド補助具である。
【産業上の利用可能性】
【０００８】
飲料水入りのペットボトルが販売されている自動販売機に、この発明のカメラスタンド補助具そのものをケースに入れて、自動販売機にセットすれば、取り付けるペットボトルと共に、増え続けるカメラ付き携帯電話の利用者に容易に安定的に供給が出来る。
【０００９】
このカメラスタンド補助具を使用するときに、更に、高さや安定性が必要とした場合には、このスタンド補助具を収納したケースにペットボトルと同じ蓋状の突起と磁石を付けて置けば、車の車体や屋根、ボンネット、などの金属に吸引させて使用することができる。
【図面の簡単な説明】
【００１０】
【図１】カメラ付き携帯電話をペットボトルに取り付けたカメラスタンド補助具の説明図である。（実施例１）
【図２】自動販売機用にカメラスタンド補助具をケースに入れた説明図である。（実施例２）
【符号の説明】
【００１１】
１、カメラスタンド用補助具。
２、携帯電話機用ホルダー付きスタンド用補助具。
３、カメラ付き携帯電話機。
４、ペットボトル。
５、カメラスタンド補助具用ケース。
６、磁石。
【図１】
0003116090.tif 000003
【図２】
0003116090.tif 000004
(57)【要約】【課題】  人の肌に出来てしまったシミを消すための従来の方法では汗や水に濡れて落ちてしまい、長持ちしなかった。これを改善するために簡単にシミを隠すことが出来、積極的に剥がすまで落ちることのない長持ちするファンデーションシールを提供する。【解決手段】  柔らかく伸縮性のあるフィルムの一方面に着色料および白色顔料等の混合物から成る化粧剤を乗せた肌に付着させるためのシールであって、シールの他方面には肌に貼付した際にタレが生じない程度に粘ちょう性を有する接着剤を乗せたことを特徴とする部分ファンデーションシール。【選択図】      図１
0003116047.tif 000002
【実用新案登録請求の範囲】
【請求項１】
柔らかく伸縮性のあるフィルムの一方面に着色料および白色顔料の混合物から成る化粧剤を乗せて肌のシミやそばかすを見えにくくするために肌に付着させるシールであって、シールの他方面には肌に貼付した際にタレが生じない程度に粘ちょう性を有する接着剤を乗せたことを特徴とするファンデーションシール。
【考案の詳細な説明】
【技術分野】
【０００１】
化粧剤に関する。特に詳しくは顔や首など目につきやすい場所にあるシミやそばかすなどを見えにくくする為の化粧剤であり、長時間崩れることなく長持ち可能なファンデーションシールに関する。
【背景技術】
【０００２】
従来からシミやそばかすをなくす方法が提案されているが、現実に存在するシミやそばかすを見えにくくする方法も提案されている。シミやそばかすを見えにくくする方法については多くの提案がある。ファンデーション用化粧剤として成分を特定した上に配合成分の粒子径を特定することでシミやそばかすを見えにくくして、その上に化粧する方法（特許文献１）やパールを構成成分の一部にするなど成分を特定した上に粒子径を特定した提案（特許文献２）、さらにはファンデーションの成分を特定した提案（特許文献３）等がある。しかしながらいずれの提案も化粧剤またはファンデーションそのものを改善するものであった。その為に長時間の間に化粧くずれがおきたり、また、短時間であっても汗や雨などによる化粧くずれが起きてしまい十分な機能を果たすことは出来なかった。本願のように化粧くずれを極力防ぐことを目的としてファンデーション剤を乗せたシールに関する提案は全くなかった。
【０００３】
【特許文献１】WO２００３／０１５７２３号
【特許文献２】特開２００５―０９７２１８号
【特許文献３】特開２００４―１９６７５９号
【考案の開示】
【考案が解決しようとする課題】
【０００４】
人の肌に出来てしまったシミを消すために従来提案されている方法では汗や水に濡れて落ちてしまい、長持ちしなかった。これを改善するために簡単にシミを隠すことが出来、積極的に剥がすまで落ちることがなく長持ちするファンデーションシールを提供する。
【課題を解決するための手段】
【０００５】
本考案の目的は柔らかく伸縮性のあるフィルムの一方面に着色料および白色顔料などの混合物から成る化粧剤を乗せた肌に付着させるためのシールであって、シールの他方面には貼付した際にタレが生じない程度に粘ちょう性を有する接着剤を乗せたことを特徴とする部分ファンデーションシールによって達成できる。
【考案の効果】
【０００６】
本考案のファンデーションシールを使用することによって、シミやそばかすを容易に見えにくくすることが出来るのみならず、夏の暑いときの多くの汗をかいてもシミやそばかすを長時間見えにくくすることが出来る。
【考案を実施するための最良の形態】
【０００７】
この考案で言うファンデーションシールとは一方面にファンデーション剤を乗せてあり、他方面には肌に貼り付けることが出来て、汗などの水分に対しても容易に剥がれない接着成分を乗せてあるものである。本考案のファンデーションシールは化粧の前にシミやそばかすを見えにくくするためのものであるが、化粧を目的とした化粧そのものであっても良い。
フィルムとは薄く、柔らかくかつ伸縮性を有していることが必要である。この条件を満たすものであればどのようなものでも良く、特に素材を限定することはない。前記条件が満足されていれば通常に販売されているポリウレタンフィルムや共重合ポリアミドフィルム、ポリオレフィンエラスマーフィルムなど合成フィルムが好ましく適用できるが、伸縮性と柔らかさの点からポリウレタンフィルムが特に好ましく適用できる。
着色料とは後述する白色顔料と併用することによってより肌の部分的な変色や局部変形を見えにくくし、肌色に近い色合いとなることが好ましい。着色料としては例えば、ベンガラが好ましく適用することが出来る。
白色顔料は白色性を有していれば良いが、前述した着色料との調合が容易に出来ることが必要である。白色顔料としては例えば二酸化チタンが好ましく適用できる。本考案のファンデーションシールは肌、例えば顔に貼ったときに必要な時間、垂れたりしないで安定して接着していることと、化粧を剥がすときに肌を痛める事なくはがせることが好ましい。
【産業上の利用可能性】
【０００８】
本考案はシミやそばかすなどを変色や局部変形をなくすためのファンデーションとして利用することが出来る。
【図面の簡単な説明】
【０００９】
【図１】ファンデーションシール
【符号の説明】
【００１０】
１  フィルム
２  化粧剤
３  接着剤
【図１】
0003116047.tif 000003
(57)【要約】【課題】本考案は主に足裏ツボマッサージ靴を提供する。【解決手段】人間の足裏で踏まれるサンダル底面には複数の孔溝が設けられ、孔溝にはスプリングをケース部内に配置したテーパーの頂部を有するマッサージ突起粒が設置される構成とした。【選択図】図１
0003116049.tif 000002
【実用新案登録請求の範囲】
【請求項１】
足裏ツボマッサージ靴を構成する人間の足裏で踏まれるサンダル底面には複数の孔溝を設け、該孔溝にはスプリングを周囲に配し、且つストライプ状孔を配して成るケース部内に圧縮スプリングを収容するとともにテーパー頂部を有する支持ピンを支持ピンに設けたフック部をケース部に設けたストライプ状孔に係合させて収容し、支持ピンのテーパー頂部をマッサージ突起粒として配置したことを特徴とする足裏ツボマッサージ靴。
【考案の詳細な説明】
【技術分野】
【０００１】
本考案のマッサージ靴の構造は、靴底部により前部が低く後部が高い、或いは前部が高く後部が低い多段傾斜角を呈するサンダルであり、靴底のほぼセンター位置が適当な傾斜の支持部を形成し、上記支持部を支点とする、更にそれぞれに靴踵の傾斜面と靴の前部の前傾斜面を合わせて、靴と地面の接触面に異なる方向と傾斜度の変化をあたえ、足の筋力を強化し、血液循環を促進し、腹部の引き締め及びヒップラインを美しくする効果があり、特に、エクササイズ、筋力トレーニング、姿勢矯正などに効果がある。
【背景技術】
【０００２】
現代人の交通手段、情報伝達、マスコミュニケーションが発達するにつれて、生活が便利になり、現代人はしだいに足で歩かなくても良い生活をするようになってきた。従って運動不足を引き起こし、これが血液循環不良の主な原因である。血液循環不良はすなわち万病のもとであり、新陳代謝障害を引き起こすだけではなく、身体の機能も低下させる、疾病はすべて血液循環不良から始まるといえる。年齢が増し、筋肉が緩み、その上運動不足によって、静脈の血液の流れが妨げることとなり、長期にわたって毒素が蓄積し、その積み重ねにより病気になる。
【考案の開示】
【考案が解決しようとする課題】
【０００３】
実際に、本考案者は従来の健康サンダルが固定式の突起を用いる場合、効果が十分でないことに鑑み、及び靴産業に長年たずさわった経験及び科学と医学上の理論に基づき、研究創造と進歩性のある改良に力を注ぎ、ついに本案の構造をつくり出し、さらに実用新案登録の請求を行う。
【課題を解決するための手段】
【０００４】
足裏ツボマッサージ靴を構成する人間の足裏で踏まれるサンダル底面には複数の孔溝を設け、該孔溝にはスプリング
を周囲に配し、且つストライプ状孔を配して成るケース部内に圧縮スプリングを収容するとともにテーパー頂部を有する支持ピンを支持ピンに設けたフック部をケース部に設けたストライプ状孔に係合させて収容し、支持ピンのテーパー頂部をマッサージ突起粒として配置した構成とする。
【考案の効果】
【０００５】
本考案の主な目的は足裏ツボマッサージ靴を提供することにあり、人間の足裏で踏まれるサンダル底面には複数の孔溝が設けられ、対応するマッサージ突起粒を設置するのに用いられ、これにより人間の足裏部の各ツボを刺激する。その特徴は上記サンダル底面に放置される上記突起粒がスプリングをケース部に設置されることにより、テーパーの頂部を有する支持ビン係合を利用し接続され、弾性を有する突起粒を形成し、これにより、使用者に心地よく踏みながらマッサージ効果を有させることである。
【考案を実施するための最良の形態】
【０００６】
本考案の主な目的は足裏ツボマッサージ靴を提供することにあり、ケース部の周囲面にはリング状体が靴底に嵌め込まれる孔溝を設け、ケース部の内部には圧縮スプリングが設けられ、テーパーの頂部を有する支持ビンの両側に突設されるフック部によりちょうどケース部のストライプ状孔とかみ合わせ、滑動させることができ、ケースが底に接することで、弾性を有する突起粒を形成し、上記弾性突起粒をあらかじめ組み合わせておくことにより、一つ一つ底の孔溝に挿入し、迅速に組み立てることができ、これにより製造コストと加工時間をかなり削減することで、成型が経済的になり、使用上の便利性と利益をもたらす。
【実施例】
【０００７】
まず、図１、図２、図３に示すように、本考案の足裏ツボマッサージ靴は、該靴を着用した人間の足裏で踏まれるサンダル１底１１面には複数の孔溝１２が設けられ、該孔溝１２は対応するマッサージ突起粒２を設置するのに用いられ、これにより人間の足裏部の各ツボを刺激する。その構造上の特徴は、上記サンダル１底１１面に配置される上記突起粒２がスプリング２２をケース部２１に設置されることにより、マッサージ突起粒２のテーパーの頂部２３１を有する支持ビン２３の係合を利用して接続され、弾性を有するマッサージ突起粒を形成し、これにより、使用者に心地よく踏みながらマッサージ効果を有させる。
【０００８】
また、ケース部２１の周囲面にはリング状体２１１がサンダル底１１に嵌め込まれる孔溝１２を設け、ケース部２１の内部には圧縮スプリング２２が設けられ、テーパーの頂部２３１を有する支持ビン２３の両側に突設されるフック部２３２によりちょうどケース部２１のストライプ状孔２１２とかみ合わせ、滑動させることができ、弾性を有する突起粒を形成し、上記弾性突起粒をあらかじめ組み合わせておくことにより、一つ一つ底１１の孔溝１２に挿入し、迅速に組み立てることができ、これにより製造コストと加工時間をかなり削減することで、成型が経済的になり、使用上の便利性と利益をもたらす。
【図面の簡単な説明】
【０００９】
【図１】本考案に係る構造を示す略図。
【図２】本考案構造に係る使用時の断面略図（一）。
【図３】本考案構造に係る使用時の断面略図（二）。
【符号の説明】
【００１０】
１        サンダル
１１      底
１２      孔溝
２        マッサージ突起粒
２１      ケース部
２２      スプリング
２３      支持ビン
２３１    テーパーの頂部
２１１    リング状体
２３２    フック部
２１２    ストライプ状孔
【図１】
0003116049.tif 000003
【図２】
0003116049.tif 000004
【図３】
0003116049.tif 000005
(57)【要約】      （修正有）【課題】設置された脱気筒が折損しにくい補強体を提供する。【解決手段】脱気筒の内筒Ａへの嵌挿筒１の下端部に鍔状の設置板２を設けた脱気筒用補強体を脱気筒内に挿設して屋上に設置すれば、設置状態の脱気筒の強度が向上する。【選択図】図１
0003116025.tif 000002
【実用新案登録請求の範囲】
【請求項１】
内筒の下端部に鍔状の台座部を設け、内筒の上部に外筒を設けた脱気筒の補強体であっ
て、
上記内筒への嵌挿筒の下端部に鍔状の設置板を設けたことを特徴とする脱気筒用補強体
。
【請求項２】
嵌挿筒の上部に切込を形成したことを特徴とする請求項１記載の脱気筒用補強体。
【考案の詳細な説明】
【技術分野】
【０００１】
本考案は、屋根等の防水施工において用いられるプラスチック製脱気筒の補強体に関す
る。
【背景技術】
【０００２】
従来、ビルなどの陸屋根建物の屋上の防水施工では、コンクリート面の上面に形成され
た防水層に脱気筒を設け、該脱気筒により、防水施工時においてコンクリートに含まれて
いた水分の蒸発により発生した水蒸気や、防水層が防水シートの場合の防水シート貼付け
時に使用した水性系接着剤等からの揮発ガスを排出することで、水蒸気や揮発ガスが防水
層の施工面に溜まらず、その結果防水層が膨張したり、亀裂が生じることを防止している
。
【０００３】
上記のような脱気筒は、上下開口状の内筒Ａと、該内筒Ａの上方開口部Ｂ２を覆うと共
に内筒Ａの外側に所定の間隔をあける様に様に設けた外筒Ｃとで構成され、かかる脱気筒
は、防水層及び施工面を一体的に固定することにより設置される。具体的には、防水層に
、直径が脱気筒の内筒の外径と略同径の開口部を形成し、該開口部を内筒が貫通するよう
にして、脱気筒の台座部Ｂを防水層の上面に固定する様にしている（例えば、特許文献１
、２参照）。
【０００４】
上記の様に防水層に設置される脱気筒によれば、上記水蒸気や水性系接着剤等から発生
したガスは、内筒Ａの下方開口部Ｂ１から内筒Ａ内を通過して上方開口部Ｂ２より外筒Ｃ
と内筒Ａとの隙間Ｄへ流入し、該隙間Ｄ内の上方より下方へ流れて、下部開口部Ｅから外
部排出される仕組みに成っている。
【０００５】
【特許文献１】実登第３１０２５９８号公報
【特許文献２】特開２００３−３１４００７号公報
【考案の開示】
【考案が解決しようとする課題】
【０００６】
しかし、上記脱気筒にあっては、プラスチック製のものが主流で、金属製のものも見受
けられるが、施工性の観点から薄厚で軽量化されたものが多いことから、脱気筒自体の強
度が低いため、積雪による圧力や、強風時の飛来物の衝突により折損し易いなど、解決せ
ねばならない課題があった。
【課題を解決するための手段】
【０００７】
本考案は、上記従来技術に基づく、設置された脱気筒が折損し易い課題に鑑み、脱気筒
の内筒への嵌挿筒の下端部に鍔状の設置板を設けた脱気筒用補強体を脱気筒内に挿設して
屋上に設置することによって、設置された脱気筒の強度を向上させる様にして、上記課題
を解決する。
而も、嵌挿筒の上部に切込を形成すれば、嵌挿筒を脱気筒内へ容易に挿設可能になる。
【考案の効果】
【０００８】
要するに本考案は、脱気筒の内筒への嵌挿筒の下端部に鍔状の設置板を設けたので、設
置状態においては、脱気筒の内筒内に本考案に係る脱気筒用補強体の嵌挿筒が嵌挿状態に
なって脱気筒用補強体により補強されるため、例え積雪による圧力や、飛来物衝突による
衝撃が脱気筒に作用しても破損することを防止出来、仮に脱気筒側に亀裂が入ったとして
も、脱気筒用補強体により脱気筒上部の欠損を防止して、高強度の脱気筒用補強体におけ
る嵌挿筒内に脱気路を確保出来るため、脱気機能を維持することが出来る。
又、嵌挿筒の上部に切込を形成したので、嵌挿筒の先端部が若干減径可能になるため、
内筒の下方開口部への挿入を容易化することか出来る等その実用的効果甚だ大である。
【考案を実施するための最良の形態】
【０００９】
以下本考案の一実施例を図面に基づいて説明する。
図１は、本考案に係る脱気筒用補強体の設置状態を示す断面図であり、図２は、分解さ
れた脱気筒及び脱気筒用補強体の斜視図である。
図１、２に示す脱気筒用補強体にあっては、嵌挿筒１の下端部に鍔状の設置板２を設け
ておいる。
【００１０】
脱気筒用補強体の材質は、硬質材料、例えばステンレスの様な耐候性を有する金属とす
るのが望ましい。
又、図面上、嵌挿筒１の上部にスリット状の４本の切込３、3a…を形成しているが、本
数に限定せず、而も無くても良い。
又、嵌挿筒１の外径は、脱気筒の内筒は、設置対象である脱気筒の通気機能を妨げない
様に形成されねばならない。例えば、内筒Ａの上端面と外筒Ｃの間の隙間が隙間Ｄへの連
通路である場合、設置状態における嵌挿筒１の上端部が外筒Ｃに当接しない様に設定し、
望ましくは内筒Ａの上端部より突出しない様に嵌挿筒１の上端部を設定する。
又、設置板２は円形状で、直径は脱気筒の台座部Ｂより小径にするのが好ましい。又、
水密性の関係上、嵌挿筒１と設置板２を一体成形するのが好ましく、具体的には嵌挿筒１
を絞り成形で設置板２と一体成形する様にしている。
【００１１】
次に本考案に係る脱気筒用補強体の作用について説明する。
先ず、脱気筒用補強体の設置板２を載置、固定した後、嵌挿筒１の上端部に内筒Ａの下
方開口部Ｂ１を当てがって、内筒Ａ内に嵌挿筒１を押し込む様に脱気筒を押し下げて、内
筒Ａ内に嵌挿筒１が嵌挿状態で脱気筒を設置し、台座部Ｂを固定する。
或いは、予め脱気筒用補強体を取り付けた脱気筒を設置、固定する様にしている。
つまり、水蒸気や揮発ガスは、嵌挿筒１の下方開口部より嵌挿筒１内を通って上方開口
部より隙間Ｄへ流れる。
尚、図面上、防水層は防水シート工法によるものが示されているが、かかる工法に限定
せず、要するに特にビルなどの陸屋根建物の屋上に対する防水施工法であって、施工面側
及び防水層側から発生する水蒸気、ガスの対処が必要な工法全般が対象となる。
【図面の簡単な説明】
【００１２】
【図１】本考案に係る脱気筒用補強体の設置状態を示す断面図である。
【図２】分解状態の脱気筒及び脱気筒用補強体の斜視図である。
【符号の説明】
【００１３】
１        嵌挿筒
２        設置板
３、3a…  切込
【図１】
0003116025.tif 000003
【図２】
0003116025.tif 000004